(57)【要約】【課題】  経験の浅い整備士であっても機械の整備を確実にしかも速く実施することが可能な整備マニュアル用インターフェイスシステムを提供すること。【解決手段】  全体平面管理図および全体立体管理図からなる全体管理図と、管理図の各部を詳細に示す平面詳細図および立体詳細図と、平面詳細図および立体詳細図に関連した詳細情報と、平面詳細図および立体詳細図に関連したマニュアル情報とを不揮発性記憶手段５に保存する。全体管理図から詳細図を経て階層的にマニュアル情報を引き当てることにより、従来のペーパーマニュアルにおける検索作業の煩わしさを解消する。【選択図】図３
2005056090.tif 000002
【特許請求の範囲】
【請求項１】
所定の整備要求情報に基いて整備マニュアルの参照箇所を特定するための整備マニュアル用インターフェイスシステムであって、
前記整備要求情報の各々に対応してシステムの構成上密接な関連のある一連の構成要素の集合体の全体形状を画像データとして記憶した全体管理図記憶部と、前記各構成要素の各々の形状を画像データとして記憶した詳細図記憶部と、前記各構成要素の各々に関連する詳細情報を前記各構成要素の各々に対応して記憶した詳細情報記憶部と、前記各構成要素の各々に関連する前記整備マニュアルの内容を前記各構成要素の各々に対応して記憶したマニュアル情報記憶部とを備えた不揮発性記憶手段と、
情報表示用のディスプレイと、
演算処理用の主制御部と、
前記主制御部に対して、整備要求情報と，詳細情報表示要求と，整備マニュアル表示要求とを入力する機能と、前記ディスプレイ上で位置指定操作を行う機能とを備えたマン・マシン・インターフェイスとから成り、
前記主制御部には、
前記マン・マシン・インターフェイスからの整備要求情報の入力を検出し、該整備要求情報に対応する全体形状を前記全体管理図記憶部から読み出して前記ディスプレイ上に表示する全体管理図表示制御手段と、
前記ディスプレイ上に表示された全体形状に対する前記マン・マシン・インターフェイスの位置指定操作を検出し、この位置指定操作によって特定された構成要素に対応する形状を前記詳細図記憶部から読み出して前記ディスプレイ上に表示する詳細図表示制御手段と、
前記マン・マシン・インターフェイスからの詳細情報表示要求を検出し、その時点で前記ディスプレイ上に表示されている形状に関連する詳細情報を前記詳細情報記憶部から読み出して前記ディスプレイ上に表示する詳細情報表示制御手段と、
前記マン・マシン・インターフェイスからのマニュアル情報表示要求を検出し、その時点で前記ディスプレイ上に表示されている形状に関連する前記整備マニュアルの内容を前記マニュアル情報記憶部から読み出して前記ディスプレイ上に表示するマニュアル情報表示制御手段とを配備したことを特徴とする整備マニュアル用インターフェイスシステム。
【請求項２】
所定の整備要求情報に基いて整備マニュアルの参照箇所を特定するための整備マニュアル用インターフェイスシステムであって、
前記整備要求情報の各々に対応してシステムの構成上密接な関連のある一連の構成要素の集合体の電気的，機械的な繋がりを示す全体ブロック図を画像データとして記憶した全体管理図記憶部と、前記各構成要素の各々の電気的，機械的な構造を示すブロック図を画像データとして記憶した詳細図記憶部と、前記各構成要素の各々に関連する詳細情報を前記各構成要素の各々に対応して記憶した詳細情報記憶部と、前記各構成要素の各々に関連する前記整備マニュアルの内容を前記各構成要素の各々に対応して記憶したマニュアル情報記憶部とを備えた不揮発性記憶手段と、
情報表示用のディスプレイと、
演算処理用の主制御部と、
前記主制御部に対して、整備要求情報と，詳細情報表示要求と，整備マニュアル表示要求とを入力する機能と、前記ディスプレイ上で位置指定操作を行う機能とを備えたマン・マシン・インターフェイスとから成り、
前記主制御部には、
前記マン・マシン・インターフェイスからの整備要求情報の入力を検出し、該整備要求情報に対応する全体ブロック図を前記全体管理図記憶部から読み出して前記ディスプレイ上に表示する全体管理図表示制御手段と、
前記ディスプレイ上に表示された全体ブロック図に対する前記マン・マシン・インターフェイスの位置指定操作を検出し、この位置指定操作によって特定された構成要素に対応するブロック図を前記詳細図記憶部から読み出して前記ディスプレイ上に表示する詳細図表示制御手段と、
前記マン・マシン・インターフェイスからの詳細情報表示要求を検出し、その時点で前記ディスプレイ上に表示されているブロック図に関連する詳細情報を前記詳細情報記憶部から読み出して前記ディスプレイ上に表示する詳細情報表示制御手段と、
前記マン・マシン・インターフェイスからのマニュアル情報表示要求を検出し、その時点で前記ディスプレイ上に表示されているブロック図に関連する前記整備マニュアルの内容を前記マニュアル情報記憶部から読み出して前記ディスプレイ上に表示するマニュアル情報表示制御手段とを配備したことを特徴とする整備マニュアル用インターフェイスシステム。
【請求項３】
所定の整備要求情報に基いて整備マニュアルの参照箇所を特定するための整備マニュアル用インターフェイスシステムであって、
前記整備要求情報の各々に対応してシステムの構成上密接な関連のある一連の構成要素の集合体の全体形状および前記一連の構成要素の集合体の電気的，機械的な繋がりを示す全体ブロック図を画像データとして記憶した全体管理図記憶部と、前記各構成要素の各々の形状および前記各構成要素の各々の電気的，機械的な構造を示すブロック図を画像データとして記憶した詳細図記憶部と、前記各構成要素の各々に関連する詳細情報を前記各構成要素の各々に対応して記憶した詳細情報記憶部と、前記各構成要素の各々に関連する前記整備マニュアルの内容を前記各構成要素の各々に対応して記憶したマニュアル情報記憶部とを備えた不揮発性記憶手段と、
情報表示用のディスプレイと、
演算処理用の主制御部と、
前記主制御部に対して、整備要求情報と，表示態様を形状またはブロックの何れか一方に指定するための表示態様指定要求と，詳細情報表示要求と，整備マニュアル表示要求とを入力する機能と、前記ディスプレイ上で位置指定操作を行う機能とを備えたマン・マシン・インターフェイスとから成り、
前記主制御部には、
前記マン・マシン・インターフェイスからの整備要求情報と表示態様指定要求との入力を検出し、前記表示態様指定要求が形状であれば前記整備要求情報に対応する全体形状を前記全体管理図記憶部から読み出して前記ディスプレイ上に表示する一方、前記表示態様指定要求がブロックであれば前記整備要求情報に対応する全体ブロック図を前記全体管理図記憶部から読み出して前記ディスプレイ上に表示する全体管理図表示制御手段と、
前記ディスプレイ上に表示された全体形状および全体ブロック図に対する前記マン・マシン・インターフェイスの位置指定操作を検出し、全体形状が表示されている場合には前記位置指定操作によって特定された構成要素に対応する形状を前記詳細図記憶部から読み出して前記ディスプレイ上に表示する一方、全体ブロック図が表示されている場合には前記位置指定操作によって特定された構成要素に対応するブロック図を前記詳細図記憶部から読み出して前記ディスプレイ上に表示する詳細図表示制御手段と、
前記マン・マシン・インターフェイスからの詳細情報表示要求を検出し、その時点で前記ディスプレイ上に表示されている形状またはブロック図に関連する詳細情報を前記詳細情報記憶部から読み出して前記ディスプレイ上に表示する詳細情報表示制御手段と、
前記マン・マシン・インターフェイスからのマニュアル情報表示要求を検出し、その時点で前記ディスプレイ上に表示されている形状またはブロック図に関連する整備マニュアルの内容を前記マニュアル情報記憶部から読み出して前記ディスプレイ上に表示するマニュアル情報表示制御手段とを配備したことを特徴とする整備マニュアル用インターフェイスシステム。
【請求項４】
前記システムの構成上密接な関連のある一連の構成要素の集合体の全体形状、および、前記各構成要素の各々の形状が３次元の画像データとして記憶されていることを特徴とする請求項１記載の整備マニュアル用インターフェイスシステム。
【請求項５】
前記システムの構成上密接な関連のある一連の構成要素の集合体の全体形状、および、前記各構成要素の各々の形状が３次元の画像データとして記憶されていることを特徴とする請求項３記載の整備マニュアル用インターフェイスシステム。
【請求項６】
所定の整備要求情報に基いて整備マニュアルの参照箇所を特定するための整備マニュアル用インターフェイスシステムをコンピュータによって構築するためのプログラム記録媒体であって、
前記整備要求情報の各々に対応してシステムの構成上密接な関連のある一連の構成要素の集合体の全体形状を画像データとして登録した全体管理図記憶ファイルと、
前記各構成要素の各々の形状を画像データとして登録した詳細図記憶ファイルと、
前記各構成要素の各々に関連する詳細情報を前記各構成要素の各々に対応して登録した詳細情報記憶ファイルと、
前記各構成要素の各々に関連する前記整備マニュアルの内容を前記各構成要素の各々に対応して登録したマニュアル情報記憶ファイルと、
前記コンピュータが備えるマン・マシン・インターフェイスに対するオペレータの操作を認識して、整備要求情報の入力と，詳細情報表示要求の入力と，整備マニュアル表示要求の入力と，前記コンピュータが備えるディスプレイ上で行われる位置指定操作の実行位置を検出するオペレータ操作検出プログラムと、
前記オペレータ操作検出プログラムによって整備要求情報の入力が検出されたときに起動され、該整備要求情報に対応する全体形状を前記全体管理図記憶ファイルから読み出して前記ディスプレイ上に表示する全体管理図表示プログラムと、
前記オペレータ操作検出プログラムによって、前記ディスプレイ上に表示されている全体形状に対する位置指定操作が検出されたときに起動され、この位置指定操作によって特定された位置にある構成要素に対応する形状を前記詳細図記憶ファイルから読み出して前記ディスプレイ上に表示する詳細図表示プログラムと、
前記オペレータ操作検出プログラムによって詳細情報表示要求の入力が検出されたときに起動され、その時点で前記ディスプレイ上に表示されている形状に関連する詳細情報を前記詳細情報記憶ファイルから読み出して前記ディスプレイ上に表示する詳細情報表示プログラムと、
前記オペレータ操作検出プログラムによってマニュアル情報表示要求の入力が検出されたときに起動され、その時点で前記ディスプレイ上に表示されている形状に関連する前記整備マニュアルの内容を前記マニュアル情報記憶ファイルから読み出して前記ディスプレイ上に表示するマニュアル情報表示プログラムと、
前記全体管理図記憶ファイル，詳細図記憶ファイル，詳細情報記憶ファイル，マニュアル情報記憶ファイル，オペレータ操作検出プログラム，全体管理図表示プログラム，詳細図表示プログラム，詳細情報表示プログラムおよびマニュアル情報表示プログラムをコンピュータにインストールするインストールプログラムとを記録したことを特徴とする整備マニュアル用インターフェイスシステムのプログラム記録媒体。
【請求項７】
所定の整備要求情報に基いて整備マニュアルの参照箇所を特定するための整備マニュアル用インターフェイスシステムをコンピュータによって構築するためのプログラム記録媒体であって、
前記整備要求情報の各々に対応してシステムの構成上密接な関連のある一連の構成要素の集合体の電気的，機械的な繋がりを示す全体ブロック図を画像データとして登録した全体管理図記憶ファイルと、
前記各構成要素の各々の電気的，機械的な構造を示すブロック図を画像データとして登録した詳細図記憶ファイルと、
前記各構成要素の各々に関連する詳細情報を前記各構成要素の各々に対応して登録した詳細情報記憶ファイルと、
前記各構成要素の各々に関連する前記整備マニュアルの内容を前記各構成要素の各々に対応して登録したマニュアル情報記憶ファイルと、
前記コンピュータが備えるマン・マシン・インターフェイスに対するオペレータの操作を認識して、整備要求情報の入力と，詳細情報表示要求の入力と，整備マニュアル表示要求の入力と，前記コンピュータが備えるディスプレイ上で行われる位置指定操作の実行位置を検出するオペレータ操作検出プログラムと、
前記オペレータ操作検出プログラムによって整備要求情報の入力が検出されたときに起動され、該整備要求情報に対応する全体ブロック図を前記全体管理図記憶ファイルから読み出して前記ディスプレイ上に表示する全体管理図表示プログラムと、
前記オペレータ操作検出プログラムによって、前記ディスプレイ上に表示されている全体ブロック図に対する位置指定操作が検出されたときに起動され、この位置指定操作によって特定された位置にある構成要素に対応するブロック図を前記詳細図記憶ファイルから読み出して前記ディスプレイ上に表示する詳細図表示プログラムと、
前記オペレータ操作検出プログラムによって詳細情報表示要求の入力が検出されたときに起動され、その時点で前記ディスプレイ上に表示されているブロック図に関連する詳細情報を前記詳細情報記憶ファイルから読み出して前記ディスプレイ上に表示する詳細情報表示プログラムと、
前記オペレータ操作検出プログラムによってマニュアル情報表示要求の入力が検出されたときに起動され、その時点で前記ディスプレイ上に表示されているブロック図に関連する前記整備マニュアルの内容を前記マニュアル情報記憶ファイルから読み出して前記ディスプレイ上に表示するマニュアル情報表示プログラムと、
前記全体管理図記憶ファイル，詳細図記憶ファイル，詳細情報記憶ファイル，マニュアル情報記憶ファイル，オペレータ操作検出プログラム，全体管理図表示プログラム，詳細図表示プログラム，詳細情報表示プログラムおよびマニュアル情報表示プログラムをコンピュータにインストールするインストールプログラムとを記録したことを特徴とする整備マニュアル用インターフェイスシステムのプログラム記録媒体。
【請求項８】
所定の整備要求情報に基いて整備マニュアルの参照箇所を特定するための整備マニュアル用インターフェイスシステムをコンピュータによって構築するためのプログラム記録媒体であって、
前記整備要求情報の各々に対応してシステムの構成上密接な関連のある一連の構成要素の集合体の全体形状および前記一連の構成要素の集合体の電気的，機械的な繋がりを示す全体ブロック図を画像データとして登録した全体管理図記憶ファイルと、
前記各構成要素の各々の形状および前記各構成要素の各々の電気的，機械的な構造を示すブロック図を画像データとして登録した詳細図記憶ファイルと、
前記各構成要素の各々に関連する詳細情報を前記各構成要素の各々に対応して登録した詳細情報記憶ファイルと、
前記各構成要素の各々に関連する前記整備マニュアルの内容を前記各構成要素の各々に対応して登録したマニュアル情報記憶ファイルと、
前記コンピュータが備えるマン・マシン・インターフェイスに対するオペレータの操作を認識して、整備要求情報の入力と，表示態様を形状またはブロックの何れか一方に指定するための表示態様指定要求の入力と，詳細情報表示要求の入力と，整備マニュアル表示要求の入力と，前記コンピュータが備えるディスプレイ上で行われる位置指定操作の実行位置を検出するオペレータ操作検出プログラムと、
前記オペレータ操作検出プログラムによって整備要求情報の入力と表示態様指定要求の入力とが検出されたときに起動され、前記表示態様指定要求が形状であれば前記整備要求情報に対応する全体形状を前記全体管理図記憶ファイルから読み出して前記ディスプレイ上に表示する一方、前記表示態様指定要求がブロックであれば前記整備要求情報に対応する全体ブロック図を前記全体管理図記憶ファイルから読み出して前記ディスプレイ上に表示する全体管理図表示プログラムと、
前記オペレータ操作検出プログラムによって、前記ディスプレイ上に表示されている全体形状および全体ブロック図に対する位置指定操作が検出されたときに起動され、全体形状が表示されている場合には前記位置指定操作によって特定された位置にある構成要素に対応する形状を前記詳細図記憶ファイルから読み出して前記ディスプレイ上に表示する一方、全体ブロック図が表示されている場合には前記位置指定操作によって特定された位置にある構成要素に対応するブロック図を前記詳細図記憶ファイルから読み出して前記ディスプレイ上に表示する詳細図表示プログラムと、
前記オペレータ操作検出プログラムによって詳細情報表示要求の入力が検出されたときに起動され、その時点で前記ディスプレイ上に表示されている形状またはブロック図に関連する詳細情報を前記詳細情報記憶ファイルから読み出して前記ディスプレイ上に表示する詳細情報表示プログラムと、
前記オペレータ操作検出プログラムによってマニュアル情報表示要求の入力が検出されたときに起動され、その時点で前記ディスプレイ上に表示されている形状またはブロック図に関連する前記整備マニュアルの内容を前記マニュアル情報記憶ファイルから読み出して前記ディスプレイ上に表示するマニュアル情報表示プログラムと、
前記全体管理図記憶ファイル，詳細図記憶ファイル，詳細情報記憶ファイル，マニュアル情報記憶ファイル，オペレータ操作検出プログラム，全体管理図表示プログラム，詳細図表示プログラム，詳細情報表示プログラムおよびマニュアル情報表示プログラムをコンピュータにインストールするインストールプログラムとを記録したことを特徴とする整備マニュアル用インターフェイスシステムのプログラム記録媒体。
【請求項９】
前記システムの構成上密接な関連のある一連の構成要素の集合体の全体形状、および、前記各構成要素の各々の形状が３次元の画像データとして登録されていることを特徴とする請求項６記載の整備マニュアル用インターフェイスシステムのプログラム記録媒体。
【請求項１０】
前記システムの構成上密接な関連のある一連の構成要素の集合体の全体形状、および、前記各構成要素の各々の形状が３次元の画像データとして登録されていることを特徴とする請求項８記載の整備マニュアル用インターフェイスシステムのプログラム記録媒体。
【発明の詳細な説明】
【技術分野】
【０００１】
本発明は、整備要求情報に基づいて整備マニュアルの参照箇所を特定するための整備マニュアル用インターフェイスシステム、および、通常のパーソナルコンピュータ等を利用して当該システムを構築するためのプログラム記録媒体に関する。
【背景技術】
【０００２】
部品点数が多く高度な機能を備えた機械の整備、特に、人命に関わるような輸送手段の整備は、機械のメーカーが発行したマニュアルに基いて行われる必要がある。
【０００３】
例えば、航空機運航会社を例にとれば、航空機の整備に使用される整備マニュアルは、基本的に航空機メーカーが製作したものであり、最終的に、このマニュアルに航空機運航会社によってある程度の修正または校正が加えられ、このマニュアルを国に提出して承認を得た段階で、初めて、このマニュアルが公式の整備マニュアル（基準書）として公認される。
【０００４】
しかしながら、この整備マニュアルは、基本的に航空機メーカーによって作成されたものであるため、個々の部品に関する技術的な情報や仕様に関する情報は極めて十分であるものの、整備に対応するための作業手続等に関しては十分に開示されていない。
【０００５】
この結果、航空機側に配備された異常検出手段等によって異常のある部品が判明したとしても、その部品の取り付け位置を把握すること自体が困難となる場合があり、また、その取り付け位置が判ったとしても、部品の着脱に必要とされる作業手続が不明な場合がある。
【０００６】
更に、部品の交換や取り寄せ等に際しては、航空機メーカーが発行するマニュアルに含まれるパーツカタログ（Illustrated Parts Catalogue）を参照して部品のパーツナンバー等を明確にする必要があるが、このパーツカタログも系統的に関連付けて編集されているわけではなく、カタログの枚数も膨大であるため、パーツカタログやパーツナンバーの検索作業に多大な時間を要するといった問題がある。また、パーツカタログが膨大であるため、形状が似ているパーツと混同し易いこともあり、本来必要としないパーツを誤って発注してしまうといった可能性もあった。
【０００７】
このような問題が生じる根本的な原因は、ベースとなるマニュアルの作成時に航空機メーカーが個々の部品の技術情報や仕様に重点をおく余り、部品相互間の関連性や航空機全体に対する部品の役割等が無視され、技術情報が断片化してしまっていることにある。
【０００８】
無論、航空機メーカーが作成したマニュアルにも、航空機の全体構造を見渡すための立体図や斜視図は付属するが、これらの図面は、単に、航空機を無機的な構造物として捉えて描かれたものであり、航空機の形状や部品の配置関係を物理的に正確に表現しているに過ぎず、部品間の機能的な繋がりや関連性に関しては、全く知りようがない。
しかも、図面自体が詳細に描かれ過ぎているため、図面の線が何重にも重なり合ってしまったり、また、航空機全体のスケールに合わせて個々の部品が小さく描かれるため、逆に、部品同士の関連や詳細部の構造を把握する場合には不都合が生じる。
【０００９】
従来、こういった整備マニュアルの不都合は、整備士自身の経験と努力によって補われていた。
【００１０】
つまり、航空機の全体構造を見渡すための立体図や斜視図が如何に見にくくても、実際に航空機の整備に何度も立ち会えば、図面と実機との対応関係を把握することは可能であり、最終的には、航空機の全体構造を見渡すための立体図や斜視図を手掛りとして、どのような作業を行えばよいかといったことを推定することが可能となる。
【００１１】
また、個々の部品についても、これと同じで、作業経験さえ豊富になれば、部品個々の機能や部品相互の接続関係あるいは機能的な繋がりを知識として蓄えることが可能である。
【００１２】
一方、最近では航空機自体の性能や耐久性が著しく向上し、航空機に異常が生じる頻度も従来に比べて激減している。
【００１３】
この結果、整備士が実際に航空機を整備するといった機会も徐々に失われる傾向にあり、経験の浅い整備士が従来のようにして現場で航空機の機能や構造を学ぶといったことも難しくなりつつある。
【００１４】
従って、現状では、実際に航空機の構造や機能を十分に熟知しているのは経験を積んだ整備士のみであり、将来の整備体制に不安が残る。
【００１５】
また、経験を積んだ整備士であっても、膨大な枚数のパーツカタログの内容やパーツナンバー等を完全に把握することは事実上不可能であり、パーツカタログやパーツナンバーの検索作業に関しては、整備士の努力や経験だけでは解消し得ない問題、つまり、経験の有無に関わりなく長大な時間を必要とするといった問題がある。
【００１６】
なお、作業情報を提示するサポートシステムとしては、ユーザーがトライ＆エラーによる操作を繰り返すか、もしくは、ユーザーの認識によって問題点を特定することによって問題解決の手順を表示するサポートシステムが特許文献１として公知であるが、このものは、ユーザー自らが問題点を特定あるいは選択しなければ問題解決の手順を表示させることができず、やはり、使いこなしには一定の熟練が要求される。
【００１７】
【特許文献１】US 6,356,437 B1(FIG.3，FIG.4，5FIG.5)
【発明の開示】
【発明が解決しようとする課題】
【００１８】
そこで、本発明の課題は、前記従来技術の欠点を解消し、経験の浅い整備士であっても、部品点数が多く高度な機能を備えた機械、例えば、航空機を始めとする輸送手段等の整備を容易に実施することが可能であり、また、パーツカタログの検索も容易に行うことができる整備マニュアル用インターフェイスシステムおよび整備マニュアル用インターフェイスシステムのプログラム記録媒体を提供することにある。
【課題を解決するための手段】
【００１９】
本発明は、所定の整備要求情報に基いて整備マニュアルの参照箇所を特定するための整備マニュアル用インターフェイスシステムであり、前記目的を達成するため、特に、整備要求情報の各々に対応してシステムの構成上密接な関連のある一連の構成要素の集合体の全体形状を画像データとして記憶した全体管理図記憶部と、前記各構成要素の各々の形状を画像データとして記憶した詳細図記憶部と、前記各構成要素の各々に関連する詳細情報を各構成要素の各々に対応して記憶した詳細情報記憶部と、前記各構成要素の各々に関連する前記整備マニュアルの内容を各構成要素の各々に対応して記憶したマニュアル情報記憶部とを備えた不揮発性記憶手段と、情報表示用のディスプレイと、演算処理用の主制御部と、この主制御部に対して、整備要求情報と，詳細情報表示要求と，整備マニュアル表示要求とを入力する機能と、前記ディスプレイ上で位置指定操作を行う機能とを備えたマン・マシン・インターフェイスとを備える。また、前記主制御部には、前記マン・マシン・インターフェイスからの整備要求情報の入力を検出し、この整備要求情報に対応する全体形状を全体管理図記憶部から読み出してディスプレイ上に表示する全体管理図表示制御手段と、前記ディスプレイ上に表示された全体形状に対するマン・マシン・インターフェイスの位置指定操作を検出し、この位置指定操作によって特定された構成要素に対応する形状を詳細図記憶部から読み出してディスプレイ上に表示する詳細図表示制御手段と、前記マン・マシン・インターフェイスからの詳細情報表示要求を検出し、その時点でディスプレイ上に表示されている形状に関連する詳細情報を詳細情報記憶部から読み出してディスプレイ上に表示する詳細情報表示制御手段と、前記マン・マシン・インターフェイスからのマニュアル情報表示要求を検出し、その時点でディスプレイ上に表示されている形状に関連する前記整備マニュアルの内容をマニュアル情報記憶部から読み出してディスプレイ上に表示するマニュアル情報表示制御手段とを配備したことを特徴とする構成を有する。
【００２０】
まず、オペレータがマン・マシン・インターフェイスを介して整備要求情報を制御部に入力すると、主制御部の全体管理図表示制御手段が整備要求情報の入力を検出し、異常の原因となる可能性のある一連の構成要素の集合体の全体形状を不揮発性記憶手段の全体管理図記憶部から読み出してディスプレイ上に表示する。
この際、システムの構成上密接な関連のある構成要素の集合体のみが系統づけられてディスプレイ上に表示されるので、構成要素間つまり部品間の機能的な繋がりや関連性の把握が容易である。また、複雑な描画によって画像の線が過剰に重なり合うこともないので、全体形状の判読や構成要素の取り付け位置の確認も容易となる。
ここで、オペレータがマン・マシン・インターフェイスを用いてディスプレイ上で位置を特定すると、主制御部の詳細図表示制御手段がこの位置指定操作を検出し、位置指定操作によって特定された構成要素に対応する形状を不揮発性記憶手段の詳細図記憶部から読み出してディスプレイ上に表示する。これにより、オペレータは、煩雑な検索作業を行うことなく、異常の原因となっている可能性のある構成要素の詳細部分を簡単に確認することができるようになる。
更に、この構成要素に関する詳細情報を知りたい場合には、オペレータは、マン・マシン・インターフェイスを操作して主制御部の詳細情報表示制御手段に詳細情報表示要求を入力する。この詳細情報表示要求を検出した詳細情報表示制御手段は、その時点でディスプレイ上に表示されている構成要素に関連する詳細情報を不揮発性記憶手段の詳細情報記憶部から読み出して、ディスプレイ上に表示する。
この詳細情報記憶部には、機能説明や注意書き等をテキスト情報として、また、可動部品の動作態様等をアニメーションのファイルや画像ファイルとして収めておくことができる。詳細情報の代表的なものとしては、機能説明のための図面や文章、様々な角度から構成要素を見やすく示した立体図や平面図、その構成要素に関連して整備上で必要とされる判断基準を示した図面や文章などがあり、その他、この整備マニュアル用インターフェイスシステムシステムの設計者や開発者が必要と認める情報を自由に含ませることができる。従って、この整備マニュアル用インターフェイスシステムシステムを操作するオペレータは、この詳細情報を参照することにより、構成要素つまり個々の部品に対する理解を深めることができる。
また、表示されている構成要素に関連する整備マニュアルを参照したい場合、オペレータは、マン・マシン・インターフェイスを操作して主制御部のマニュアル情報表示制御手段にマニュアル情報表示要求を入力する。このマニュアル情報表示要求を検出した詳細情報表示制御手段は、その時点でディスプレイ上に表示されている構成要素に関連した整備マニュアルの情報を不揮発性記憶手段のマニュアル情報記憶部から読み出して、ディスプレイ上に表示する。
整備作業は、最終的に、公認された整備マニュアルに示される仕様や情報に基いて行われる必要があるが、前述した全体管理図表示制御手段，詳細図表示制御手段およびマニュアル情報表示制御手段の助けを借りることにより、経験の浅いオペレータであっても、整備要求情報に基づいて、実際の整備作業の実施に必要とされる整備マニュアルの参照箇所を短時間のうちに確実に特定することができるようになる。更に、パーツカタログの内容は、個々の構成要素に対応させてマニュアル情報記憶部または詳細情報記憶部に保存しておくことができるので、パーツカタログやパーツナンバーの検索作業も極めて確実に早く行うことができる。
しかも、不揮発性メモリの詳細情報記憶部には、メーカーの作成したマニュアルの情報を補完するかたちで固有の情報を付加することができるので、ベースとなるマニュアルの不備を補って確実な整備作業を行うことができるようになる。
【００２１】
また、システムの構成上密接な関連のある一連の構成要素の集合体の全体形状や各構成要素の各々の形状に代えて、システムの構成上密接な関連のある一連の構成要素の集合体の電気的，機械的な繋がりを示す全体ブロック図や各構成要素の各々の電気的，機械的な構造を示すブロック図を前述した全体管理図記憶部や詳細図記憶部に記憶するように構成してもよい。
【００２２】
前者の構成は専ら形状が重要視される機械的な構成要素に対して有効であり、また、後者は、形状のみで全てを表すことが困難な電気回路や油圧回路および空気配管等の構成要素に対して有効である。
【００２３】
更に、システムの構成上密接な関連のある一連の構成要素の集合体の全体形状および各構成要素の各々の形状と、システムの構成上密接な関連のある一連の構成要素の集合体の電気的，機械的な繋がりを示す全体ブロック図および各構成要素の各々の電気的，機械的な構造を示すブロック図とを合わせて前述した全体管理図記憶部や詳細図記憶部に記憶するように構成することも可能である。
この場合は、表示態様を形状またはブロックの何れか一方に指定する機能をマン・マシン・インターフェイスに持たせる。
【００２４】
全体管理図表示制御手段は、マン・マシン・インターフェイスからの整備要求情報と表示態様指定要求の入力を検出し、表示態様指定要求が形状であれば整備要求情報に対応する全体形状を前記全体管理図記憶部から読み出してディスプレイ上に表示する。また、表示態様指定要求がブロックであれば、全体管理図表示制御手段は、整備要求情報に対応する全体ブロック図を全体管理図記憶部から読み出してディスプレイ上に表示することになる。
そして、詳細図表示制御手段は、ディスプレイ上に全体形状または全体ブロック図が表示されている状態で、マン・マシン・インターフェイスによる位置指定操作を検出し、全体形状が表示されている場合には、位置指定操作によって特定された構成要素に対応する形状を詳細図記憶部から読み出してディスプレイ上に表示する。また、全体ブロック図が表示されている場合には、詳細図表示制御手段は、位置指定操作によって特定された構成要素に対応するブロック図を詳細図記憶部から読み出してディスプレイ上に表示することになる。
詳細情報表示制御手段とマニュアル情報表示制御手段の機能に関しては前記と同様である。
【００２５】
ここで、システムの構成上密接な関連のある一連の構成要素の集合体の全体形状、および、各構成要素の各々の形状は、３次元の画像データとして全体管理図記憶部や詳細図記憶部に記憶させておくことが可能である。
【００２６】
前述した通り、システムの構成上密接な関連のある構成要素の集合体のみが系統づけられてディスプレイ上に表示されるので、３次元の画像データから成る立体図をディスプレイに表示しても、画像の見易さが損なわれることはなく、立体形状の把握が容易となるメリットがある。
【００２７】
また、本発明のプログラム記録媒体は、整備要求情報に基いて整備マニュアルの参照箇所を特定するための整備マニュアル用インターフェイスシステムをコンピュータによって構築するためのプログラム記録媒体であり、前記目的を達成するため、整備要求情報の各々に対応してシステムの構成上密接な関連のある一連の構成要素の集合体の全体形状を画像データとして登録した全体管理図記憶ファイルと、各構成要素の各々の形状を画像データとして登録した詳細図記憶ファイルと、各構成要素の各々に関連する詳細情報を各構成要素の各々に対応して登録した詳細情報記憶ファイルと、各構成要素の各々に関連する前記整備マニュアルの内容を各構成要素の各々に対応して登録したマニュアル情報記憶ファイルと、前記コンピュータが備えるマン・マシン・インターフェイスに対するオペレータの操作を認識して、整備要求情報の入力と，詳細情報表示要求の入力と，整備マニュアル表示要求の入力と，前記コンピュータが備えるディスプレイ上で行われる位置指定操作の実行位置を検出するオペレータ操作検出プログラムと、オペレータ操作検出プログラムによって整備要求情報の入力が検出されたときに起動され、該整備要求情報に対応する全体形状を全体管理図記憶ファイルから読み出してディスプレイ上に表示する全体管理図表示プログラムと、オペレータ操作検出プログラムによって、前記ディスプレイ上に表示されている全体形状に対する位置指定操作が検出されたときに起動され、この位置指定操作によって特定された位置にある構成要素に対応する形状を詳細図記憶ファイルから読み出して前記ディスプレイ上に表示する詳細図表示プログラムと、オペレータ操作検出プログラムによって詳細情報表示要求の入力が検出されたときに起動され、その時点で前記ディスプレイ上に表示されている形状に関連する詳細情報を詳細情報記憶ファイルから読み出して前記ディスプレイ上に表示する詳細情報表示プログラムと、オペレータ操作検出プログラムによってマニュアル情報表示要求の入力が検出されたときに起動され、その時点で前記ディスプレイ上に表示されている形状に関連する整備マニュアルの内容をマニュアル情報記憶ファイルから読み出して前記ディスプレイ上に表示するマニュアル情報表示プログラムと、前記全体管理図記憶ファイル，詳細図記憶ファイル，詳細情報記憶ファイル，マニュアル情報記憶ファイル，オペレータ操作検出プログラム，全体管理図表示プログラム，詳細図表示プログラム，詳細情報表示プログラムおよびマニュアル情報表示プログラムをコンピュータにインストールするインストールプログラムとを記録したことを特徴とする構成を有する。
【００２８】
このような構成により、全体管理図記憶ファイル，詳細図記憶ファイル，詳細情報記憶ファイルおよびマニュアル情報記憶ファイルは、コンピュータの不揮発性記憶手段にインストールされた段階で、前述した全体管理図記憶部，詳細図記憶部，詳細情報記憶部およびマニュアル情報記憶部となり、また、オペレータ操作検出プログラム，全体管理図表示プログラム，詳細図表示プログラム，詳細情報表示プログラムおよびマニュアル情報表示プログラムの各々は、コンピュータにインストールされて起動された段階で、夫々、前述のマン・マシン・インターフェイスの機能実現手段，全体管理図表示制御手段，詳細図表示制御手段，詳細情報表示制御手段，マニュアル情報表示制御手段としての機能を開始する。前述したパーツカタログの内容は、個々の構成要素に対応させてマニュアル情報記憶ファイルあるいは詳細情報記憶ファイルに登録しておくことができる。
つまり、本発明の整備マニュアル用インターフェイスシステムは、必ずしも専用の装置構成を必要とするものではなく、市販されるデスク・トップ・コンピュータやラップ・トップ・コンピュータあるいはワーク・ステーション等を利用して構成することが可能である。
【００２９】
また、このプログラム記録媒体には、システムの構成上密接な関連のある一連の構成要素の集合体の全体形状や各構成要素の各々の形状に代えて、システムの構成上密接な関連のある一連の構成要素の集合体の電気的，機械的な繋がりを示す全体ブロック図や各構成要素の各々の電気的，機械的な構造を示すブロック図を登録するように構成してもよい。
【００３０】
前者の構成は専ら形状が重要視される機械的な構成要素に対して有効であり、また、後者は、形状のみで全てを表すことが困難な電気回路や油圧回路および空気配管等の構成要素に対して有効である。
【００３１】
更に、このプログラム記録媒体には、システムの構成上密接な関連のある一連の構成要素の集合体の全体形状および各構成要素の各々の形状と、システムの構成上密接な関連のある一連の構成要素の集合体の電気的，機械的な繋がりを示す全体ブロック図および各構成要素の各々の電気的，機械的な構造を示すブロック図とを合わせて登録することも可能である。この場合は、表示態様を形状またはブロックの何れか一方に指定する表示態様指定要求を認識するためのプログラムをオペレータ操作検出プログラムに付加する。
【００３２】
全体管理図表示プログラムは、マン・マシン・インターフェイスからの整備要求情報と表示態様指定要求の入力を検出し、表示態様指定要求が形状であれば整備要求情報に対応する全体形状を全体管理図記憶ファイルから読み出してディスプレイ上に表示する。また、表示態様指定要求がブロックであれば、全体管理図表示プログラムは、整備要求情報に対応する全体ブロック図を全体管理図記憶ファイルから読み出してディスプレイ上に表示することになる。
そして、詳細図表示プログラムは、ディスプレイ上に全体形状または全体ブロック図が表示されている状態で、マン・マシン・インターフェイスによる位置指定操作を検出し、全体形状が表示されている場合には、位置指定操作によって特定された構成要素に対応する形状を詳細図記憶ファイルから読み出してディスプレイ上に表示する。また、全体ブロック図が表示されている場合には、詳細図表示プログラムは、位置指定操作によって特定された構成要素に対応するブロック図を詳細図記憶ファイルから読み出してディスプレイ上に表示することになる。
【００３３】
ここで、システムの構成上密接な関連のある一連の構成要素の集合体の全体形状、および、各構成要素の各々の形状は、３次元の画像データとしてプログラム記録媒体に登録しておくことが可能である。
【００３４】
システムの構成上密接な関連のある構成要素の集合体のみが系統づけられてディスプレイ上に表示されるので、３次元の画像データから成る立体図をディスプレイに表示しても、画像の見易さが損なわれることはなく、立体形状の把握が容易となるメリットがある。
【発明の効果】
【００３５】
本発明の整備マニュアル用インターフェイスシステムは、システムの構成上密接な関連のある構成要素として関連付けされた一連の構成要素の集合体の全体形状を表す画像データを整備対象から出力される異常検出情報の各々に対応させて記憶した不揮発性記憶手段を備え、整備要求情報をシステムに入力することにより、この整備要求情報に対応して、全体管理図表示制御手段が、システムの構成上密接な関連のある一連の構成要素の集合体の全体形状のみをディスプレイ上に表示するようにしているので、複雑な描画によって画像の線が過剰に重なり合うことがなくなり、全体形状の判読や構成要素の取り付け位置の確認を容易に行うことができるようになる。
【００３６】
また、ディスプレイ上に表示された全体形状に対して位置の指定操作を行うことにより、この位置指定操作で特定された構成要素の形状を詳細図表示制御手段が不揮発性記憶手段の詳細図記憶部から読み出してディスプレイ上に表示するようにしているので、煩雑な検索作業を行うことなく、詳細を知る必要のある構成要素の詳細部分を簡単に確認することができる。
【００３７】
しかも、詳細情報表示要求をシステムに入力することにより、その時点でディスプレイ上に表示されている構成要素に関連した詳細情報を詳細情報表示制御手段が不揮発性記憶手段の詳細情報記憶部から読み出してディスプレイ上に表示するようにしているので、構成要素に関連した様々な情報、例えば、機能説明や注意書き等のテキスト情報や可動部品の動作態様のアニメーション等をディスプレイ上で確認することが可能となり、オペレータは、この詳細情報を参照することによって個々の部品に対する理解を深めることができる。
【００３８】
更に、ディスプレイに表示されている構成要素に関連する整備マニュアルを参照したい場合には、システムにマニュアル情報表示要求を入力するだけの簡単な作業で、マニュアル情報表示制御手段が自動的に必要なマニュアルの情報を読み出してディスプレイに表示するので、通常のペーパーマニュアルのような検索作業の煩わしさが解消される。整備作業は、最終的に、公認された整備マニュアルに示される仕様や情報に基いて行われる必要があるが、これらの全体管理図表示制御手段，詳細図表示制御手段およびマニュアル情報表示制御手段の助けを借りることにより、経験の浅いオペレータであっても、整備要求情報に基いて、実際の整備作業の実施に必要とされる整備マニュアルの参照箇所やマニュアルに付属するパーツカタログの参照箇所を短時間のうちに容易に特定することができる。しかも、不揮発性メモリの詳細情報記憶部には、メーカーの作成したマニュアルの情報を補完するかたちで固有の情報を付加することができるので、ベースとなるマニュアルの不備を補って確実に早く整備作業を行うことができるようになる。
【００３９】
また、システムの構成上密接な関連のある一連の構成要素の集合体の全体形状や各構成要素の各々の形状に代えて、システムの構成上密接な関連のある一連の構成要素の集合体の電気的，機械的な繋がりを示す全体ブロック図や各構成要素の各々の電気的，機械的な構造を示すブロック図を全体管理図記憶部や詳細図記憶部に記憶させることにより、立体図や平面図だけでは機能を十分に表せない電気回路や油圧回路および空気配管等に対しても、構成要素間の機能的な繋がりや関連性の把握を容易に実施できるようになる。
【００４０】
しかも、集合体の全体形状や個々の構成要素の形状の表示に関しては３次元の画像データを利用して表示を行うようにしているので、ディスプレイ上での立体形状の把握が極めて容易である。
【００４１】
また、本発明のプログラム記録媒体によれば、その内容をインストールするだけで市販のデスク・トップ・コンピュータやラップ・トップ・コンピュータあるいはワーク・ステーション等のコンピュータを整備マニュアル用インターフェイスシステムとして利用することが可能となり、専用のシステムを構築する場合と比べて極めて僅かな設備投資によって整備マニュアル用インターフェイスシステムを構築することができる。
【発明を実施するための最良の形態】
【００４２】
次に、本発明を実施するための最良の形態について実施例を挙げて具体的に説明する。
【実施例１】
【００４３】
この実施例は、本発明を航空機の整備マニュアル用インターフェイスシステムに適用した場合のものである。
【００４４】
図１は、整備マニュアル用インターフェイスシステムとしてのラップ・トップ・コンピュータ１の外観を簡略化して示した斜視図、また、図２は、ラップ・トップ・コンピュータ１の内部構造を簡略化して示したブロック図である。
【００４５】
この実施例では、整備現場における取り回しの容易性を考慮してラップ・トップ・コンピュータ１によって整備マニュアル用インターフェイスシステムを構成しているが、この整備マニュアル用インターフェイスシステムは、市販のデスク・トップ・コンピュータやワーク・ステーション等であってもよく、また、専用機として構成してもよい。
【００４６】
ラップ・トップ・コンピュータ１は、主制御部を構成するＣＰＵ２と、起動プログラムを格納したＲＯＭ３、および、演算処理用のＲＡＭ４と、オペレーション・システム等を格納した不揮発性記憶手段であるハードディスク・ドライブ５を備える。ＣＤ−ＲＯＭ・ドライブ６およびフロッピーディスク・ドライブ７は補助記憶装置として機能する。情報表示用のディスプレイ８はドライバ９を介してＣＰＵ２によって駆動制御される。
【００４７】
キーボード１０およびトラック・パッド１１はマン・マシン・インターフェイスの一部であり、各々、ドライバ１２，１３を介してＣＰＵ２のバス１４に接続されている。通信用ＰＣカード（ＰＣＭ／ＣＩＡカード）１５はインターフェイス１６を介してバス１４に接続され、ＣＰＵ２と外部装置、例えば、他のワークステーションとの間の通信を可能にしている。
【００４８】
また、ハードディスク・ドライブ５の内部には、前述したオペレーション・システムの他、全体管理図記憶ファイル，詳細図記憶ファイル，詳細情報記憶ファイル，マニュアル情報記憶ファイルの各ファイルが格納され、更に、アプリケーション・プログラムとして、オペレータ操作検出プログラム，全体管理図表示プログラム，詳細図表示プログラム，詳細情報表示プログラム，マニュアル情報表示プログラムの各々が格納されている。これらのファイルおよびプログラムは、ＣＤ−ＲＯＭ等を始めとするプログラム記録媒体から、そのプログラム記録媒体自体が備えるインストールプログラムによって、不揮発性記憶手段としてのハードディスク・ドライブ５にインストールされたものである。
【００４９】
ハードディスク・ドライブ５の記憶領域のうち、全体管理図記憶ファイルを格納した部分を全体管理図記憶部、詳細図記憶ファイルを格納した部分を詳細図記憶部、詳細情報記憶ファイルを格納した部分を詳細情報記憶部、また、マニュアル情報記憶ファイルを格納した部分をマニュアル情報記憶部と称する。
【００５０】
また、オペレータ操作検出プログラム，全体管理図表示プログラム，詳細図表示プログラム，詳細情報表示プログラム，マニュアル情報表示プログラムの各々は、オペレーション・システムの管理の下、主制御部としてのＣＰＵ２によってハードディスク・ドライブ５からＲＡＭ４上に読み出され、該ＣＰＵ２によって逐次実行される。つまり、全体管理図表示プログラムを実行しているときのＣＰＵ２が全体管理図表示制御手段、詳細図表示プログラムを実行しているときのＣＰＵ２が詳細図表示制御手段、詳細情報表示プログラムを実行しているときのＣＰＵ２が詳細情報表示制御手段、また、マニュアル情報表示プログラムを実行しているときのＣＰＵ２がマニュアル情報表示制御手段である。
【００５１】
これらのプログラムが実行される間、キーボード１０およびトラック・パッド１１と共にマン・マシン・インターフェイスの機能実現手段の一部を構成するオペレータ操作検出プログラムがＣＰＵ２によって略並列的に実行される。オペレータ操作検出プログラムは、キーボード１０およびトラック・パッド１１から成るマン・マシン・インターフェイスを介してオペレータが入力する指令を翻訳し、前述した各プログラムに命令として引き渡す。
【００５２】
この翻訳作業には、キーボード１０およびトラック・パッド１１の操作を整備要求情報の入力，詳細情報表示要求の入力，整備マニュアル表示要求の入力，表示態様指定要求の入力として翻訳する作業と、オペレータによるトラック・パッド１１の操作に応じてディスプレイ８上を移動するカーソルの位置を読み込んで、その時点でディスプレイ８上に表示されている図形とカーソル位置との対応関係を特定する作業とが含まれる。
【００５３】
図３は不揮発性記憶手段としてのハードディスク・ドライブ５に格納されたファイルの相互関連を簡略化して示した概念図である。図３に示される通り、ハードディスク・ドライブ５の全体管理図記憶部には、整備対象となる特定機種の航空機に関連する整備要求情報の各々に対応してシステムの構成上密接な関連のある一連の構成要素の集合体の全体形状を３次元の画像データとして保存した全体立体管理図と、前記整備要求情報の各々に対応してシステムの構成上密接な関連のある一連の構成要素の集合体の電気的，機械的な繋がりを示す全体ブロック図を画像データとして保存した全体平面管理図とが格納されている。
【００５４】
一般に、航空機のシステム構成は、世界的に規定されるAir Transport Associatio of America（以下、ＡＴＡと略す）の定義の下、機能および用途の点、つまり、システムの構成上密接な関連のある分類によって大まかに１００の章に区分されているが、ここでは、一例として、Pneumatic
Air System（圧縮エア関連）に関わるＡＴＡ３６章を例にとって説明する。その他、代表的な区分としてはAir Condition Systemの２１章、Electric
Systemの２４章などがある。
【００５５】
ＡＴＡ３６章のPneumatic Air Systemを把握するための全体立体管理図を図１８に、また、ＡＴＡ３６章のPneumatic Air
Systemを把握するための全体平面管理図を図１３に示す。このうち図１８の全体立体管理図では、エアの供給源となる両サイドのエンジンからのエアの流れとAuxiliary
Power Unitからのエアの流れ、および、そのエアの使用場所の位置と使用場所の位置の連合関係（エアの流れの方向性）が立体的に表示されている。また、図１３の全体平面管理図では、エアの供給源となる両サイドのエンジンからのエアの流れとAuxiliary
Power Unitからのエアの流れ、および、そのエアの使用場所の位置と使用場所の位置の連合関係（エアの流れの方向性）に加え、コントロールスイッチで動かされるvalveとスイッチの関連も表示される。
【００５６】
他の章に関しても、全体立体管理図と全体平面管理図、あるいは、全体立体管理図または全体平面管理図の少なくとも一方が全体管理図記憶部に格納されているが、どの章に関しても、画像データの纏め方等に関する技術思想は全く同様であるので、ここでは、一例としてＡＴＡ３６章の例を示すにとどめる。
【００５７】
なお、ここでいう３次元データとは、ベクトルデータであるかラスターデータであるかを問わず、ディスプレイ８上で画像を３次元的に表現することの可能なデータのことである。従って、斜視図や立体図を実質的に２次元のベクトルデータあるいはラスターデータで保存したものも、ここでいう３次元データの範疇に含まれる。
【００５８】
また、図３に示されるハードディスク・ドライブ５の詳細図記憶部には、前述した全体立体管理図（例えば図１８）に示された全体形状の各構成要素の各々の形状を画像データとして保存した立体詳細図と、前述した全体平面管理図（例えば図１３）に示された各構成要素の各々の電気的，機械的な構造を示すブロック図を画像データとして保存した平面詳細図とが格納されている。
【００５９】
一例として、図１８の全体立体管理図に関連する立体詳細図を図１９に、また、図１３の全体平面管理図に関連する平面詳細図を図１４に示す。このうち図１９の立体詳細図はEngineからWingにかけての詳細図であり、Engineからエアがどのようにして流れ出しているか、また、その経路にどんな部品があるのかを立体的に表示している。また、図１４の平面詳細図においても、これと同様、Engineからエアがどのようにして流れ出しているか、また、その経路にどんな部品があるのかを、機能的な繋がりを示したブロック図により判りやすく表示している。
【００６０】
図３に示す通り、１枚の全体立体管理図の各構成要素を表すために複数の立体詳細図が存在し、また、１枚の全体平面管理図の各構成要素を表すために複数の平面詳細図が存在する。
【００６１】
更に、図３に示されるハードディスク・ドライブ５の詳細情報記憶部には、前述した立体詳細図（例えば図１９）や平面詳細図（例えば図１４）に示された構成要素に関連する情報が、構成要素の各々に対応して画像ファイルやテキストファイル、あるいは、アニメーションファイルから成る詳細情報として格納されている。アニメーションファイルは、可動部品の動作態様等を示すのに好適である。詳細情報の代表的なものとしては、機能説明のための図面や文章、様々な角度から構成要素を見やすく示した立体図や平面図、その構成要素に関連して整備上で必要とされる判断基準を示した図面や文章などがあり、その他、この整備マニュアル用インターフェイスシステムシステムの設計者や開発者が必要と認める情報を任意に含ませることができる。これらの詳細情報は、整備マニュアルの情報を補完して経験の浅い整備士のために十分な情報を提供するためのものであり、必ずしも、整備マニュアルの仕様に拘束される必要はない。
【００６２】
一例として、図１９の立体詳細図および図１４の平面詳細図に関連する詳細情報の幾つかの例を図１５〜図１６に示す。図１５の詳細情報はEngineの構成要素であるPressure Regulating and Shutoff Valveに関連した情報を図面で表した詳細図であり、バルブの具体的な動きや機能を示している。また、図１６の詳細情報も、これと同様、Engineの構成要素であるPressure
Regulating and Shutoff Valveに関連した詳細図であり、バルブの作動条件とその電気的な操作系統をブロック図により判りやすく表示している。
【００６３】
これらの詳細情報は、構成要素の各々に対して複数個ずつ添付することが可能である。
【００６４】
また、ハードディスク・ドライブ５のマニュアル情報記憶部には、前述した立体詳細図（例えば図１９）や平面詳細図（例えば図１４）に示された構成要素に関連する整備マニュアル（以下、基準書という）の内容が、画像ファイルあるいはテキストファイルとして格納されている。図１９の立体詳細図および図１４の平面詳細図に関連する基準書の内容の一例を図１７に示す。図１７の基準書は、Pressure Regulating and Shutoff Valveに関連して航空機メーカーが発行したマニュアルの情報である。基準書の内容は複数のページに及んでも構わない。ここでいう基準書とは航空機メーカーが作成した作業マニュアル、または、この作業マニュアルにある程度の修正または校正を加えた公式の整備マニュアルであって、内容に関する改竄は許されない。
【００６５】
次に、整備マニュアル用インターフェイスシステムの主制御部を構成するＣＰＵ２によって実施される処理の概略を示した図４〜図８のフローチャートを参照して、本実施例の整備マニュアル用インターフェイスシステムの処理動作について詳細に説明する。
【００６６】
ラップ・トップ・コンピュータ１によって構成される整備マニュアル用インターフェイスシステムに電源を投入してオペレータ操作検出プログラムが起動されると、ＣＰＵ２は、まず、ディスプレイ８に図９に示されるような初期画面を表示し（ステップｓ１）、マン・マシン・インターフェイスを構成するキーボード１０およびトラック・パッド１１を用いたＡＴＡの章番号の選択操作を待つ待機状態に入る（ステップｓ２）。
【００６７】
前述した通り、ここでいうＡＴＡとは、航空機のシステム構成を大まかに分類した各章のことである。航空機のコックピットに配備された異常検出手段は、簡単なメッセージ状の整備要求情報、例えば、異常検出情報を出力することが可能であり、整備作業や故障修理作業の場合においては、このメッセージに含まれるフォールトコードやメンテナンスコード等によって、異常に関連するＡＴＡの章の値を特定することができる。また、整備要求情報の一種である異常検出情報は、無線回線を介して直に管制室に送信され、ラップ・トップ・コンピュータ１も、通信用ＰＣカード１５を介して管制室のワークステーションから異常検出に関わる情報を受け取ることが可能である。
【００６８】
ここで、オペレータである整備士がキーボード１０による数値入力操作あるいはトラック・パッド１１によるディスプレイ８上のクリック操作でＡＴＡの値、例えば、「３６」を選択すると（図９参照）、ＣＰＵ２は、ステップｓ２の判別処理でこの操作を検出し、選択されたＡＴＡの値「３６」を図１０に示すようにして強調表示し（ステップｓ３）、リトライキーの操作あるいは継続キーの操作を待つ待機状態に入る（ステップｓ４〜ステップｓ５）。
【００６９】
リトライキーおよび継続キーは、キーボード１０上の適当な英字キーを割り振ったファンクションキーである。
【００７０】
オペレータがＡＴＡの選択操作を誤った場合には、この段階でリトライキーを操作して初期画面を再表示させることによりＡＴＡの選択操作をやり直すことが可能である。また、適切なＡＴＡを選択した場合には、オペレータは、継続キーを操作して次の処理に進む。
【００７１】
なお、図１０に示されるTABLE OF CONTENTSは、後述するステップｓ６の処理で表示される全体管理図のグループの一覧の内容を予め示すもので、このうち、MMELはMaster
Minimum Equipment Listの略称であって、航空機を出発させるために必要とされる最低限必要なシステムの基準リストを示す。また、DDGはDispatch
Deviations Guideの略称であって、航空機を出発させるために必要とされる最低限必要なシステムに不具合がある場合の対応策の手順を示したガイドのことである。
【００７２】
オペレータが継続キーを操作すると、ＣＰＵ２は、図１１に示されるようにして、ＡＴＡ３６章に関連した全体管理図のグループの一覧をディスプレイ８上に表示し（ステップｓ６）、オペレータによってリトライキーが操作されるか、あるいは、何れかのグループの全体立体管理図または全体平面管理図が選択されるのを待つ待機状態に入る（ステップｓ７〜ステップｓ９）。この段階でも、前記と同様、リトライキーの操作によって初期画面を再表示させ、ＡＴＡの再選択操作をやり直すことが可能である。
【００７３】
図１１はＡＴＡ３６章に関連する全体管理図のグループの一覧を示したものであり、この全体管理図のグループには、機体全体のPneumatic Air Systemの位置付けを示したLocation System Flowの全体管理図や、Pneumatic
Air Systemの電源や配線状態を示したControl Display等の全体管理図等が含まれる。
【００７４】
これらの全体管理図には、全体立体管理図のみによって構成される全体管理図と、全体平面管理図のみによって構成される全体管理図、および、全体立体管理図と全体平面管理図とによって構成される全体管理図とがある。
【００７５】
以下、一例として、図１１中で左上方に位置するLocation System Flowの全体立体管理図あるいは全体平面管理図が選択された場合を例にとって説明するが、Control
Display等の全体立体管理図や全体平面管理図が選択された場合も、基本的な処理の流れに関しては以下に示すものと同様である。また、ディスプレイ８に表示される図面中で用いられる用語の記載に関しては、ディスプレイ８の大きさや解像度を考慮して適宜に略称を使用するようにしているが、これらの略称に関しては当業者の知るところである。各略称と正式名称との対応関係を表１に示す。
【００７６】
【表１】
2005056090.tif 000003
まず、オペレータによるディスプレイ８中のカーソルの移動および位置指定操作によってLocation System Flowの全体平面管理図（図１２参照）がクリックして選択された場合、つまり、表示形態としてブロックが選択された場合、ＣＰＵ２は、ステップｓ８の判別処理によってこの操作を検出し、フラグＦに全体平面管理図の表示中を示す値０をセットする（ステップｓ１０）。
【００７７】
次いで、全体管理図表示制御手段としてのＣＰＵ２は、不揮発性記憶手段としてのハードディスク・ドライブ５の全体管理図記憶部からＡＴＡ３６章つまりPneumatic Air SystemのLocation System Flowに対応する全体ブロック図（＝全体平面管理図）を読み込んで図１３に示されるようにしてディスプレイ８に表示し（ステップｓ１２）、リトライキーが操作されるか、あるいは、表示中の全体ブロック図上でのカーソルによる位置指定操作によって詳細部が選択されるのを待つ待機状態に入る（ステップｓ１３〜ステップｓ１４）。
【００７８】
この全体ブロック図（全体平面管理図）は、図１３に示される通り、エアの供給源となる両サイドのエンジンからのエアの流れとAuxiliary Power Unitからのエアの流れ、および、そのエアの使用場所の位置と使用場所の位置の連合関係（エアの流れの方向性）のみを取り出して示すように構成されているため、エアの流れとは直接関連のない複雑な機械要素や電気的な配線およびリンケージ等、つまり、システムの構成上関連の希薄な構成要素が過剰に表示されることはなく、経験の浅い整備士であってもPneumatic
Air Systemの構成を容易に理解することができる。また、各構成要素間の接続関係の把握も容易である。
更に、Pneumatic Air Systemに関連する構成要素のみが表示されるため、無駄な線が重なって表示されることはなく、ディスプレイ８上に表示される各構成要素間の間隔も十分に確保することができるので、詳細を知りたい構成要素を選択する際の位置指定操作も、選択対象物を的確に選択して確実に実行することができるようになる。
【００７９】
なお、オペレータが管理図の選択操作を誤った場合には、リトライキーを操作してステップｓ６の処理にまで戻ることにより、再び、図１１に示されるような全体管理図のグループの一覧を表示して管理図の選択操作をやり直すことが可能である。
【００８０】
更に、図１３に示されるような全体ブロック図がディスプレイ８上に表示されている状態で、オペレータがトラック・パッド１１を操作してディスプレイ８中のカーソルを移動させ、詳細部を確認したい構成要素の位置を指定してクリック操作を実行すると、詳細図表示制御手段としてのＣＰＵ２はステップｓ１４の判別処理でこの操作を検出し、不揮発性記憶手段としてのハードディスク・ドライブ５の詳細図記憶部から、クリック位置に対応する構成要素のブロック図を読み込んで図１４に示されるようにしてディスプレイ８上に表示し（ステップｓ１５）、リトライキーが操作されるか、あるいは、キーボード１０またはトラック・パッド１１の操作によって詳細情報表示要求や整備マニュアル表示要求が入力されるのを待つ待機状態に入る（ステップｓ１６〜ステップｓ１８）。
【００８１】
図１４のブロック図は、ディスプレイ８に表示された図１３のような全体ブロック図上でLeft Engineの近傍をクリックした場合に表示されるLeft Engineのブロック図の例である。
【００８２】
なお、オペレータが構成要素の選択操作を誤った場合には、リトライキーを操作してステップｓ１２の処理にまで戻り、再び、図１３に示されるような全体ブロック図を表示して構成要素の再選択作業を実行することが可能である。
【００８３】
図１４のようなブロック図が表示された状態で、更に、オペレータがキーボード１０またはトラック・パッド１１を操作して詳細情報表示要求を入力すると、詳細情報表示制御手段としてのＣＰＵ２はステップｓ１７の判別処理でこの操作を検出し、検索指標ｉの値を１に初期化した後（ステップｓ１９）、該指標ｉの値に基いて、現時点でディスプレイ８に表示されている構成要素（この場合はLeft Engine）に関連する詳細情報の第ｉページ目のデータをハードディスク・ドライブ５の詳細情報記憶部から読み込んで、図１５に示されるようにしてディスプレイ８に表示し（ステップｓ２０）、リトライキーあるいは継続キーが操作されるのを待つ待機状態に入る（ステップｓ２１〜ステップｓ２２）。
【００８４】
図１５はLeft EngineのPneumatic Air SystemのPressure Regulating and Shutoff
Valveの開閉動作の態様を画像データとして表示した詳細情報の例であるが、この他にも、テキストデータやアニメーションファイル等によって構成される様々な詳細情報をLeft
Engineに関連する詳細情報として複数個設定しておくことが可能である。なお、整備マニュアル表示要求を入力すべきところをオペレータが誤って詳細情報表示要求を入力してしまったといった場合には、リトライキーを操作してステップｓ２５経由でステップｓ１５の処理にまで戻り、再び、図１４に示されるようなブロック図を表示して、当初予定した整備マニュアル表示要求を入力し直すことが可能である。
【００８５】
また、ステップｓ２１〜ステップｓ２２の待機処理によって詳細情報の表示状態が静止保持されている間にオペレータが継続キーを操作した場合には、詳細情報表示制御手段としてのＣＰＵ２は、ステップｓ２２の判別処理でこの操作を検出し、指標ｉの値を１インクリメントした後（ステップｓ２３）、該指標ｉの値が、これまでディスプレイ８に表示されていた構成要素（この場合はLeft Engine）に関連する詳細情報のページ枚数の総数ｎ１に達しているか否かを判別する（ステップｓ２４）。
【００８６】
そして、指標ｉの値がページ枚数の総数ｎ１に達していなければ、詳細情報表示制御手段としてのＣＰＵ２は、インクリメントされた指標ｉの値に基いて前記と同様の処理を繰り返し実行し、これまでディスプレイ８に表示されていた構成要素に関連する別の詳細情報をハードディスク・ドライブ５の詳細情報記憶部から次々と読み込んで、例えば、図１６のようにしてディスプレイ８に表示していく。この間に指標ｉの値がページ枚数の総数ｎ１に達した場合には、ＣＰＵ２は、指標iの値を再び１に初期化し（ステップｓ１９）、これまでディスプレイ８に表示されていた構成要素に関連する詳細情報の表示を最初から繰り返す。
【００８７】
また、詳細情報の表示を途中で取り止めてステップｓ２１〜ステップｓ２２の待機処理でオペレータがリトライキーを操作し、更に、リトライキーの操作をステップｓ１６，ステップｓ１３，ステップｓ７と逆行して実行することにより、最終的に、図９の初期画面の表示状態にまで戻ることが可能である。
【００８８】
一方、ブロック図の表示を完了した後のステップｓ１６〜ステップｓ１８の待機処理が繰り返し実行される間に、オペレータによって整備マニュアル表示要求が入力された場合には、マニュアル情報表示制御手段としてのＣＰＵ２はステップｓ１８の判別処理でこの操作を検出し、検索指標ｉの値を１に初期化した後（ステップｓ２６）、該指標ｉの値に基いて、現時点でディスプレイ８に表示されている構成要素（この場合はLeft Engine）に関連する基準書の第ｉページ目のデータをハードディスク・ドライブ５のマニュアル情報記憶部から読み込んで、図１７に示されるようにしてディスプレイ８に表示し（ステップｓ２７）、リトライキーあるいは継続キーが操作されるのを待つ待機状態に入る（ステップｓ２８〜ステップｓ２９）。
【００８９】
図１７の基準書はLeft Engineの周辺（ナセル周り）を示したもので、実質的に、航空機メーカーのマニュアルと同一の内容である。通常、航空機メーカーが発行するマニュアルは各構成要素毎に独立して存在するので、仮に、Left
Engineの周辺のPneumatic Air Systemに異常があることが予め判っていたとしても、マニュアルの各ページの関連付けが不十分であるため、目的とする部位のマニュアルに辿りつくことは容易でないが、本実施例で示した如く、システムの構成上密接な関連のある構成要素の集合体（この場合はPneumatic
Air System）を示した全体ブロック図を見出しとして利用して構成要素を選択して検索対象となる構成要素のブロック図を表示させ、更に、このブロック図から詳細情報あるいは基準書（マニュアル）へと構造を系統だてて辿っていくことにより、最終的に必要となる基準書（マニュアル）のページやパーツカタログ（Illustrated
Parts Catalogue）のページを誰でも短時間のうちに確実に引き当てることができる。また、基準書では不十分な情報が詳細情報として補完されているので、経験の浅い整備士であっても基準書（マニュアル）の内容を容易に理解することができる。
【００９０】
そして、ステップｓ２８〜ステップｓ２９の待機処理が繰り返される間にオペレータが継続キーを操作した場合には、マニュアル情報表示制御手段としてのＣＰＵ２は、ステップｓ２９の判別処理でこの操作を検出し、指標ｉの値を１インクリメントした後（ステップｓ３０）、該指標ｉの値が、これまでディスプレイ８に表示されていた構成要素（この場合はLeft Engine）に関連する基準書のページ枚数の総数ｎ２に達しているか否かを判別する（ステップｓ３１）。そして、指標ｉの値がページ枚数の総数ｎ２に達していなければ、マニュアル情報表示制御手段としてのＣＰＵ２は、インクリメントされた指標ｉの値に基いて前記と同様の処理を繰り返し実行し、これまでディスプレイ８上に表示されていた構成要素に関連する基準書の内容をハードディスク・ドライブ５のマニュアル報記憶部から次々と読み込んで、前記と同様にしてディスプレイ８上に表示していく。また、指標ｉの値がページ枚数の総数ｎ２に達した場合、ＣＰＵ２は、指標iの値を再び１に初期化し（ステップｓ２６）、これまでディスプレイ８に表示されていた構成要素に関連する基準書の表示を最初から繰り返す。
【００９１】
基準書の表示を途中で取り止めてステップｓ２８〜ステップｓ２９の待機処理でオペレータがリトライキーを操作し、更に、リトライキーの操作をステップｓ１６，ステップｓ１３，ステップｓ７と逆行して実行することにより、最終的に、図９の初期画面の表示状態にまで戻ることが可能である。
【００９２】
これに対し、全体管理図のグループの一覧表示を完了した後のステップｓ７〜ステップｓ９の待機処理において、カーソルの移動および位置指定操作によってLocation System Flowの全体立体管理図（図１１参照）がクリックして選択された場合、つまり、表示形態として形状が選択された場合、ＣＰＵ２は、ステップｓ９の判別処理によってこの操作を検出し、フラグＦに全体立体管理図の表示中を示す値１をセットする（ステップｓ１１）。
【００９３】
次いで、全体管理図表示制御手段としてのＣＰＵ２は、不揮発性記憶手段としてのハードディスク・ドライブ５の全体管理図記憶部からＡＴＡ３６章つまりPneumatic Air SystemのLocation System Flowに対応する全体形状の図（＝全体立体管理図）を読み込んで図１８に示されるようにしてディスプレイ８に表示し（ステップｓ３３）、リトライキーが操作されるか、あるいは、表示中の全体形状の図の上でのカーソルによる位置指定操作によって詳細部が選択されるのを待つ待機状態に入る（ステップｓ３４〜ステップｓ３５）。
【００９４】
この全体ブロック図（全体立体管理図）は、図１８に示される通り、エアの供給源となる両サイドのエンジンからのエアの流れとAuxiliary Power Unitからのエアの流れ、および、そのエアの使用場所の位置と使用場所の位置の連合関係（エアの流れの方向性）のみを取り出して示すように構成されているため、エアの流れとは直接関連のない複雑な機械要素や電気的な配線およびリンケージ等、つまり、システムの構成上関連の希薄な構成要素が過剰に表示されることはなく、経験の浅い整備士であってもPneumatic
Air Systemの構成を容易に理解することができ、また、前述した全体ブロック図（全体平面管理図）の場合とは違ってPneumatic Air Systemの構成要素の具体的な形状や機体に対するPneumatic
Air System関連の配管の位置の把握や、各構成要素間の接続関係の把握も容易である。
更に、Pneumatic Air Systemに関連する構成要素のみが表示されるため、無駄な線が重なって表示されることはなく、ディスプレイ８上に表示される各構成要素間の間隔も十分に確保することができるので、詳細を知りたい構成要素を選択する際の位置指定操作も、選択対象物を的確に選択して確実に実行することができるようになる。
【００９５】
なお、オペレータが管理図の選択操作を誤った場合には、リトライキーを操作してステップｓ６の処理にまで戻ることにより、再び、図１１に示されるような全体管理図のグループの一覧を表示して管理図の選択操作をやり直すことが可能である。
【００９６】
更に、図１８に示されるような全体形状の図がディスプレイ８上に表示されている状態で、オペレータがトラック・パッド１１を操作してディスプレイ８中のカーソルを移動させ、詳細部を確認したい構成要素の位置を指定してクリック操作を実行すると、詳細図表示制御手段としてのＣＰＵ２はステップｓ３５の判別処理でこの操作を検出し、不揮発性記憶手段としてのハードディスク・ドライブ５の詳細図記憶部から、クリック位置に対応する構成要素の立体詳細図を読み込んで図１９に示されるようにしてディスプレイ８上に表示し（ステップｓ３６）、リトライキーが操作されるか、あるいは、キーボード１０またはトラック・パッド１１の操作によって詳細情報表示要求や整備マニュアル表示要求が入力されるのを待つ待機状態に入る（ステップｓ３７〜ステップｓ３９）。
【００９７】
図１９の立体詳細図は、ディスプレイ８に表示された図１８のような全体形状の図の上でLeft Engineの近傍をクリックした場合に表示されるLeft Engineの立体詳細図の例である。この立体詳細図では主に斜視図を使ってLeft
Engineの詳細部を見やすい方向から明確に示している。また、見えにくい部分に関してはパーツを取り外して独立した状態で表示したり、拡大して表示したりしているので、図１７に示されるような航空機メーカー作成のマニュアル（基準書）の図面に比べ、詳細部の把握が遥かに容易である。
【００９８】
なお、オペレータが構成要素の選択操作を誤った場合には、リトライキーを操作してステップｓ３３の処理にまで戻り、再び、図１８に示されるような全体形状の図を表示して構成要素の再選択作業を実行することが可能である。
【００９９】
図１９のような立体詳細図が表示された状態で、オペレータがキーボード１０またはトラック・パッド１１を操作して詳細情報表示要求を入力すると、詳細情報表示制御手段としてのＣＰＵ２はステップｓ３８の判別処理でこの操作を検出する。また、マニュアル表示要求が入力された場合には、マニュアル情報表示制御手段としてのＣＰＵ２がステップｓ３９の判別処理によってマニュアル表示要求を検出することになる。
【０１００】
詳細情報の表示とマニュアル情報の表示に関する処理は、ブロック図の表示状態で行われる処理、つまり、既に図６および図７で説明した処理と全く同様であるので重複した説明は省略する。
【０１０１】
但し、立体詳細図が表示された状態で図６および図７の処理が行われる場合には、フラグＦの値が１となっているため、ステップｓ２１あるいはステップｓ２８の判別処理でＣＰＵ２によってリトライキーの操作が検出された場合には、ステップｓ２５あるいはステップｓ３２経由でステップｓ３６の処理に移行し、再び、図１９に示されるような立体詳細図が表示されることになる。
【０１０２】
前記と同様、システムの構成上密接な関連のある構成要素の集合体（この場合はPneumatic Air System）を示した全体形状の図（全体立体管理図）を見出しとして利用して構成要素を選択して検索対象となる構成要素の詳細図を表示させ、更に、この詳細図から詳細情報あるいは基準書（マニュアル）へと構造を系統だてて辿っていくことにより、最終的に必要となる基準書（マニュアル）のページやパーツカタログ（Illustrated
Parts Catalogue）のページを誰でも短時間のうちに確実に引き当てることができる。
【０１０３】
この実施例ではブロック図に付加する詳細情報と立体詳細図に付加する詳細情報とを共通化しているが、ブロック図に付加する詳細情報と立体詳細図に付加する詳細情報とを別のものにすることも可能である。
【０１０４】
以上の実施例では、構成要素の形状あるいはブロック図を表示させた状態で、その構成要素に関連する詳細情報やマニュアル情報のページを指標ｉの値に基いて順番に表示するようにした例について述べたが、全体形状（全体立体管理図）や全体ブロック図（全体平面管理図）を表示させた状態あるいは構成要素の形状あるいはブロック図を表示させた状態で、ディスプレイ８上にガイダンスメッセージ等を表示しながらオペレータの操作を喚起してマン・マシン・インターフェイスによる対話型の操作を行わせるように構成する場合もある。
【０１０５】
この場合、ガイダンスメッセージを参照して行われるオペレータの選択操作や位置指定操作によってディスプレイ８に表示させる情報を自由に指定することが可能となるので、構成要素の形状やブロック図および詳細情報やマニュアル情報を、前記実施例に比べ、より自由に選択して表示させることが可能となるメリットがある。
【実施例２】
【０１０６】
以下、対話型の操作を行わせる場合の構成例の一例について簡単に説明する。
【０１０７】
まず、図２０に示されるような全体立体管理図が表示された状態で、オペレータの操作によってディスプレイ８上のカーソルが位置決めされると、その時点で選択対象となっている構成要素の周辺、つまり、カーソルを置いた位置に近接する構成要素の周辺に、矩形枠１７が表示される。このようにしてＣＰＵ２側の処理で矩形枠１７を表示することにより、オペレータに対し、選択対象となっている構成要素を明確に認識させることができる。これにより、オペレータのマウスクリックによる選択操作（位置指定操作）のミスを減らすことができる。図２０では、一例としてLeft Engineの近傍にカーソルを置いた場合の表示例について示しており、図２０の全体立体管理図の内容自体は先の実施例で述べた図１８の全体立体管理図と同様である。
【０１０８】
このとき、矩形枠１７と共に、対話型の操作を行わせるためのガイダンスメッセージがディスプレイ８上に表示されるので、ここでオペレータが、例えば、ガイダンスメッセージから「Abstraction」の項目を選択すると、オペレータ操作検出プログラムがこの操作を検出し、ＣＰＵ２は、ディスプレイ８に図２１に示されるようなLeft
Engine周辺の全体ブロック図（図１３と同一の内容）を表示する。この画面内でも、前記と同様にして、カーソル位置に応じ、その時点で選択対象となっている構成要素の名称の周辺に矩形枠１７が表示され、選択対象となる構成要素が明確に示される。図２１では、一例として、Pressure
Regulating and Shutoff Valveの近傍にカーソルを置いた場合の例について示している。
【０１０９】
ここでオペレータが、例えば、Pressure Regulating and Shutoff Valveの位置にカーソルを置いたままの状態でマウスのクリック操作を行うことによって当該構成要素を選択すると、オペレータ操作検出プログラムがこの操作を検出し、ＣＰＵ２は、ディスプレイ８に図２２に示されるようにしてPressure
Regulating and Shutoff Valveの周辺の詳細情報（図１４と同一の内容）を表示する。
【０１１０】
この画面内では、カーソルの位置に応じ、対話型の選択操作を行わせるためのガイダンスメッセージがディスプレイ８上に表示されるので、ここでオペレータが、例えば、Pressure Regulating and Shutoff Valveの項目にカーソルを置いてガイダンスメッセージから「Function」の項目を選択すると、オペレータ操作検出プログラムがこの操作を検出し、ＣＰＵ２は、ディスプレイ８に図２３（図１５と同一の内容）に示されるようにしてShutoff
ValveとShutoff Valve Controllerに関連する詳細情報、つまり、Shutoff Valve Controllerの構成の概要と、Shutoff
Valveの開閉動作の態様（Function）を表示することになる。
【０１１１】
一方、図２２に示されるようなPressure Regulating and Shutoff Valve周辺の詳細情報が表示された状態で、オペレータが、例えば、Pressure
Regulating and Shutoff Valvの項目にカーソルを置いた状態でガイダンスメッセージから「Control
Logic」の項目を選択すると、オペレータ操作検出プログラムがこの操作を検出し、ＣＰＵ２は、ディスプレイ８に図２４（図１６と同一の内容）に示されるようにしてPressure
Regulating and Shutoff Valveの詳細情報、つまり、電気系と油圧系の電気的，機械的な繋がりを示したブロック図（制御系のControl
Logic）を表示する。この段階でキーボード１０またはトラック・パッド１１を操作して整備マニュアル表示要求を入力することにより図１７に示されるようなマニュアル情報、つまり、Pressure
Regulating and Shutoff Valveの周辺の構成を含んだLeft Engineに関連する基準書の内容を表示することができる。
【０１１２】
また、図２０に示されるような全体立体管理図が表示されてLeft Engineが選択された状態でガイダンスメッセージから「Flow/Component」の項目を選択した場合には、図２５（図１９と同一の内容）に示されるようにしてLeft
Engine周辺の立体詳細図（構造）が表示されるので、この画面上で図２１の場合と同様にしてPressure Regulating and Shutoff
Valveの位置にカーソルを置いてマウスクリックによる選択操作を行うことによっても、図２２に示されるようなPressure Regulating and
Shutoff Valve周辺の詳細情報を表示させることができる。
【０１１３】
更に、図２５に示されるようなLeft Engine周辺の立体詳細図が表示された段階で、オペレータよる位置指定操作とガイダンスメッセージの選択操作を行わせることによって、各々の部位（例えばPressure
Regulating and Shutoff Valve）に対応する様々な種類の詳細情報を選択的に表示させるようにすることも可能である。例えば、図２５の状態でPressure
Regulating and Shutoff Valveの位置にカーソルを置いてガイダンスメッセージから「Function」の項目を選択すれば図２３に示されるようなShutoff
Valveの動作態様（Function）に関連する詳細情報が表示され、また、「Control Logic」の項目を選択した場合には、図２４に示されるようにしてPressure
Regulating and Shutoff Valveの詳細情報、つまり、電気系と油圧系の電気的，機械的な繋がりを示したブロック図（制御系のControl
Logic）が表示され、更に、「Original Manual 1」の項目を選択した場合には、図１７に示されるようなマニュアル情報、つまり、Pressure
Regulating and Shutoff Valveの周辺構造を含んだLeft Engineに関連する基準書の内容（マニュアル）が表示されることになる。
【０１１４】
以上、本発明の整備マニュアル用インターフェイスシステムおよび整備マニュアル用インターフェイスシステムのプログラム記録媒体を航空機の整備あるいは整備士の教育等に利用した実施例について幾つか説明したが、これと同様の方式を自動車や船舶あるいはスペースシャトル等の他の輸送手段や、構造の複雑な機械類等に適用することも可能である。
【０１１５】
自動車や船舶あるいは他の輸送手段および構造の複雑な機械類等の場合において、航空機のＡＴＡに代わるシステム構成上の分類としては、例えば、油圧系，電気系等の分野による分類、あるいは、駆動系，制動系，操舵系，空調系等の機能分類が考えられる。
【０１１６】
このような分類法を適用した場合においても、前記と同様にして、全体平面管理図や全体立体管理図および詳細図や詳細情報およびマニュアル情報を適宜関連させてパッケージ化することが可能である。
【産業上の利用可能性】
【０１１７】
この発明は、航空機の整備や整備士の教育等の他、自動車や船舶あるいはスペースシャトル等の他の輸送手段、更には、構造の複雑な機械類等に適用することが可能である。
【図面の簡単な説明】
【０１１８】
【図１】整備マニュアル用インターフェイスシステムとしてのラップ・トップ・コンピュータの外観を簡略化して示した斜視図である。（実施例１）
【図２】ラップ・トップ・コンピュータの内部構造を簡略化して示したブロック図である。（実施例１）
【図３】整備マニュアル用インターフェイスシステムの不揮発性記憶手段に格納されたファイルの相互関連を簡略化して示した概念図である。（実施例１）
【図４】整備マニュアル用インターフェイスシステムのＣＰＵによって実施される処理の概略を示したフローチャートである。（実施例１）
【図５】整備マニュアル用インターフェイスシステムのＣＰＵによって実施される処理の概略を示したフローチャートの続きである。（実施例１）
【図６】整備マニュアル用インターフェイスシステムのＣＰＵによって実施される処理の概略を示したフローチャートの続きである。（実施例１）
【図７】整備マニュアル用インターフェイスシステムのＣＰＵによって実施される処理の概略を示したフローチャートの続きである。（実施例１）
【図８】整備マニュアル用インターフェイスシステムのＣＰＵによって実施される処理の概略を示したフローチャートの続きである。（実施例１）
【図９】ディスプレイに表示される初期画面とディスプレイ上で行われるクリック操作の一例を示した概念図である。（実施例１）
【図１０】ＡＴＡの選択を表すディスプレイ上の反転表示の一例を示した概念図である。（実施例１）
【図１１】ディスプレイ上に表示される全体管理図グループの一覧画面を示した概念図である。（実施例１）
【図１２】全体立体管理図と全体平面管理図とからなる全体管理図の一例を示した概念図である。（実施例１）
【図１３】全体平面管理図の一例である。（実施例１）
【図１４】平面詳細図の一例である。（実施例１）
【図１５】詳細情報の一例である。（実施例１）
【図１６】詳細情報の一例である。（実施例１）
【図１７】マニュアル（基準書）の内容の一例である。（実施例１）
【図１８】全体立体管理図の一例である。（実施例１）
【図１９】立体詳細図の一例である。（実施例１）
【図２０】他の実施例の整備マニュアル用インターフェイスシステムで表示される全体立体管理図の一例を示した図である。（実施例２）
【図２１】他の実施例の整備マニュアル用インターフェイスシステムで表示される全体ブロック図の一例を示した図である。（実施例２）
【図２２】他の実施例の整備マニュアル用インターフェイスシステムで表示される詳細情報の一例を示した図である。（実施例２）
【図２３】他の実施例の整備マニュアル用インターフェイスシステムで表示される詳細情報の一例を示した図である。（実施例２）
【図２４】他の実施例の整備マニュアル用インターフェイスシステムで表示される詳細情報の一例を示した図である。（実施例２）
【図２５】他の実施例の整備マニュアル用インターフェイスシステムで表示される立体詳細図の一例を示した図である。（実施例２）
【符号の説明】
【０１１９】
１  ラップ・トップ・コンピュータ（整備マニュアル用インターフェイスシステム）
２  ＣＰＵ（主制御部，全体管理図表示制御手段，詳細図表示制御手段，詳細情報表示制御手段，マニュアル情報表示制御手段）
３  ＲＯＭ
４  ＲＡＭ
５  ハードディスクドライブ（不揮発性記憶手段，全体管理図記憶部，詳細図記憶部，詳細情報記憶部，マニュアル情報記憶部）
６  ＣＤ−ＲＯＭ・ドライブ
７  フロッピーディスク・ドライブ
８  ディスプレイ
９  ドライバ
１０  キーボード（マン・マシン・インターフェイス）
１１  トラック・パッド（マン・マシン・インターフェイス）
１２  ドライバ
１３  ドライバ
１４  バス
１５  通信用ＰＣカード
１６  インターフェイス
１７  矩形枠
【図１】
2005056090.tif 000004
【図２】
2005056090.tif 000005
【図３】
2005056090.tif 000006
【図４】
2005056090.tif 000007
【図５】
2005056090.tif 000008
【図６】
2005056090.tif 000009
【図７】
2005056090.tif 000010
【図８】
2005056090.tif 000011
【図９】
2005056090.tif 000012
【図１０】
2005056090.tif 000013
【図１１】
2005056090.tif 000014
【図１２】
2005056090.tif 000015
【図１３】
2005056090.tif 000016
【図１４】
2005056090.tif 000017
【図１５】
2005056090.tif 000018
【図１６】
2005056090.tif 000019
【図１７】
2005056090.tif 000020
【図１８】
2005056090.tif 000021
【図１９】
2005056090.tif 000022
【図２０】
2005056090.tif 000023
【図２１】
2005056090.tif 000024
【図２２】
2005056090.tif 000025
【図２３】
2005056090.tif 000026
【図２４】
2005056090.tif 000027
【図２５】
2005056090.tif 000028